【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
ユーザ表示構成システムであって、
ユーザが１つ以上のテンプレートグラフィカル要素を作成できるようにするために１つ以上のコンピュータプロセッサを用いて実行される、有形のコンピュータ可読媒体上に格納されるグラフィカル要素構成アプリケーションであり、各テンプレートグラフィカル要素が表示可能な印及び表示可能な印を用いてディスプレイ装置上に表示されるべきプロセス制御システムデータへの構成可能なリンクを含む、グラフィカル要素構成アプリケーションと、
ユーザがテンプレートグラフィカル要素のうちの１つに関連する構成フォームを作成できるようにするために１つ以上のコンピュータプロセッサを用いて実行される、有形のコンピュータ可読媒体上に格納される構成フォームエディタであり、前記構成フォームが、前記テンプレートグラフィカル要素のうちの１つから１つ以上のグラフィカル要素使用の動作を構成するのに用いられ、前記構成フォームエディタが、ユーザが構成フォームに関する１つ以上のアクション可能アイテムを指定できるようにするためにユーザ表示インターフェースを提示し、前記１つ以上のアクション可能アイテムが、前記テンプレートグラフィカル要素のうちの１つから作成される１つ以上のグラフィカル要素使用を構成するのに用いられるようにそれぞれ適合され、各アクション可能アイテムが、前記テンプレートグラフィカル要素のグラフィカル要素パラメータ及び構成されるべき前記テンプレートグラフィカル要素のグラフィカル要素パラメータの特性の指標と、前記グラフィカル要素パラメータの特性に関する構成情報を指定するための１つ以上の編集可能な構成セルとを含む、構成フォームエディタと、
ユーザ表示装置を介して第２のユーザに視覚情報を提示するべく前記テンプレートグラフィカル要素のうちの１つに関する構成フォームを用いるために１つ以上のコンピュータプロセッサを用いて実行される有形のコンピュータ可読媒体上に格納される構成フォームアプリケーションであり、前記第２のユーザが前記１つ以上のアクション可能アイテムの前記１つ以上の編集可能な構成セルのうちの１つに関する構成情報を指定し、ユーザ表示の一部として実行するために前記テンプレートグラフィカル要素のうちの１つからグラフィカル要素使用を作成するのに前記指定された構成情報を用いることを可能にするように動作する構成フォームアプリケーションと、
を備える、ユーザ表示構成システム。
【請求項２】
前記構成フォームエディタが、前記アクション可能アイテムに関連するべき１つ以上のルールをユーザが指定できるようにする、請求項１に記載のユーザ表示構成システム。
【請求項３】
前記アクション可能アイテムに関連する１つ以上のルールが、グラフィカル要素使用を作成する際に前記構成フォームアプリケーションによる前記構成フォームの使用時にプロセッサによって実装されるように構成される、請求項２に記載のユーザ表示構成システム。
【請求項４】
前記アクション可能アイテムに関連する１つ以上のルールが、前記構成フォームアプリケーションによって作成される前記グラフィカル要素使用の実行時にプロセッサによって実装されるように構成される、請求項２又は請求項３に記載のユーザ表示構成システム。
【請求項５】
前記構成フォームエディタが、テンプレートルールセットに関連するルール情報を変更することによって前記アクション可能アイテムに関連するべき１つ以上のルールをユーザが指定できるようにする、請求項２〜請求項４の何れか１項に記載のユーザ表示構成システム。
【請求項６】
前記構成フォームエディタが、アクション可能アイテムの１つ以上の構成フィールドのうちの１つにおいて、前記第２のユーザが前記アクション可能アイテムを介して構成情報を提供しているときに前記第２のユーザに提供されるべきラベルの指標を前記ユーザが指定できるようにする、請求項１〜請求項５の何れか１項に記載のユーザ表示構成システム。
【請求項７】
前記構成フォームエディタが、アクション可能アイテムの１つ以上の構成フィールドのうちの１つにおいて、前記第２のユーザが前記アクション可能アイテムを介して構成情報を提供しているときに前記第２のユーザに提供されるべきメッセージの指標を前記ユーザが指定できるようにする、請求項１〜請求項６の何れか１項に記載のユーザ表示構成システム。
【請求項８】
前記構成フォームエディタが、前記テンプレートグラフィカル要素から作成される前記グラフィカル要素使用がユーザ表示に用いられるときにユーザに表示されるべきボタンに関係したアクション可能アイテムを前記ユーザが作成できるようにする、請求項１〜請求項７の何れか１項に記載のユーザ表示構成システム。
【請求項９】
前記構成フォームエディタが、ユーザインターフェースデバイス上で、アクション可能アイテムを作成することができるグラフィカル要素パラメータの指標を含む第１のフィールド、アクション可能アイテムを作成することができる前記第１のフィールドにおける選択されるグラフィカル要素パラメータの１つ以上の特性の指標を含む第２のフィールド、及び前記構成フォーム内のアクション可能アイテムの指標を含む第３のフィールドを提示する、請求項１〜請求項８の何れか１項に記載のユーザ表示構成システム。
【請求項１０】
前記構成フォームエディタが、ユーザが前記第１のフィールドに示されるグラフィカル要素パラメータを選択すること、及び前記選択されるグラフィカル要素パラメータの選択される特性に関連するアクション可能アイテムを生成するべく前記第２のフィールドに示される前記選択されるグラフィカル要素パラメータの特性を選択することを可能にするために実行される、請求項９に記載のユーザ表示構成システム。
【請求項１１】
前記アクション可能アイテムのうちの１つに関する前記グラフィカル要素パラメータの指標が、ユーザ表示画面上に提示されるべきグラフィカル描画に関係しており、前記グラフィカル要素パラメータの特性が、前記グラフィカル描画の視覚特性に関係している、請求項１〜請求項１０の何れか１項に記載のユーザ表示構成システム。
【請求項１２】
前記アクション可能アイテムのうちの１つに関する前記グラフィカル要素パラメータが、前記グラフィカル要素構成アプリケーションによって用いられるネーム空間において定義される、グラフィカル要素に関するエイリアスである、請求項１〜請求項１１の何れか１項に記載のユーザ表示構成システム。
【請求項１３】
前記グラフィカル要素パラメータの特性に関する構成情報を指定するための１つ以上の編集可能な構成セルのうちの１つが、第２の構成フォームのアクション可能アイテムにおける構成セルへの参照を格納するように適合される、請求項１〜請求項１２の何れか１項に記載のユーザ表示構成システム。
【請求項１４】
前記構成フォームエディタが、アクション可能アイテムに関する構成情報を収集するのに用いられるべきデータ入力タイプの指標を含むアクション可能アイテムをユーザが作成できるようにする、請求項１〜請求項１３の何れか１項に記載のユーザ表示構成システム。
【請求項１５】
表示要素構成システムであって、
１つ以上のテンプレートグラフィカル要素を作成するために１つ以上のコンピュータプロセッサを用いて実行される、有形のコンピュータ可読媒体上に格納されるグラフィカル要素構成アプリケーションであり、各テンプレートグラフィカル要素が、表示可能な印及び表示可能な印を用いてディスプレイ装置上に表示されるべきプロセス制御システムデータへの１つ以上の構成可能なリンクを含む、グラフィカル要素構成アプリケーションと、
ユーザがテンプレートグラフィカル要素のうちの１つに関連する構成フォームを作成できるようにするために１つ以上のコンピュータプロセッサを用いて実行される、有形のコンピュータ可読媒体上に格納される構成フォームエディタであり、前記構成フォームが、前記テンプレートグラフィカル要素のうちの１つから１つ以上のグラフィカル要素使用の動作を構成するのに用いられるように適合され、前記構成フォームエディタが、ユーザが前記構成フォームに関する１つ以上のアクション可能アイテムを指定できるようにするためにユーザ表示インターフェースを提示し、各アクション可能アイテムが前記テンプレートグラフィカル要素のグラフィカル要素パラメータ及び構成されるべき前記テンプレートグラフィカル要素のグラフィカル要素パラメータの特性の指標と、前記グラフィカル要素パラメータの特性に関する構成情報を指定するための１つ以上の編集可能な構成セルとを含む、構成フォームエディタと、
特定のテンプレートグラフィカル要素からグラフィカル要素使用を構成する際に後で用いるために特定のテンプレートグラフィカル要素に関連するものとして構成フォームをコンピュータメモリに格納するために１つ以上のコンピュータプロセッサを用いて実行される有形のコンピュータ可読媒体上に格納される構成フォームストレージルーチンと、を備える、表示要素構成システム。
【請求項１６】
ユーザ表示構成システムであって、
ユーザ表示の一部として実行するためにグラフィカル要素使用を作成するのに用いられる１つ以上のテンプレートグラフィカル要素を格納する有形のコンピュータ可読媒体において具体化されるテンプレートグラフィカル要素ライブラリであり、各テンプレートグラフィカル要素が表示可能な印及び表示可能な印を用いてディスプレイ装置上に表示されるべきプロセス制御システムデータの詳細を含む、テンプレートグラフィカル要素ライブラリと、
前記テンプレートグラフィカル要素ライブラリに格納される１つ以上のテンプレートグラフィカル要素のうちの少なくとも１つに関する１つ以上の構成フォームを格納する有形のコンピュータ可読媒体において具体化されるグラフィカル要素構成フォームライブラリであり、各構成フォームが１つ以上のアクション可能アイテムを含み、前記１つ以上のアクション可能アイテムのそれぞれが、前記１つ以上のテンプレートグラフィカル要素のうちの１つから作成されるグラフィカル要素使用を構成するのに用いられるように適合され、各アクション可能アイテムが、グラフィカル要素パラメータ及び構成されるべき前記テンプレートグラフィカル要素のグラフィカル要素パラメータの特性の指標と、前記グラフィカル要素使用を構成するのに用いられるべき前記グラフィカル要素パラメータの特性に関する構成情報を指定することに関係した情報を格納する１つ以上の構成セルとを含む、構成フォームエディタと、
ユーザ表示装置を介してユーザに視覚情報を提示するのに前記１つ以上のテンプレートグラフィカル要素のうちの１つに関する前記構成フォームを用いるために１つ以上のコンピュータプロセッサを用いて実行される有形のコンピュータ可読媒体上に格納される構成フォームアプリケーションであり、前記ユーザが前記構成フォームの１つ以上のアクション可能アイテムの１つ以上の構成セルを用いて構成情報を指定し、ユーザ表示の一部として実行するために前記テンプレートグラフィカル要素からグラフィカル要素使用を作成するのに前記指定された構成情報を用いることを可能にするように動作する構成フォームアプリケーションと、
を備える、ユーザ表示構成システム。
【請求項１７】
前記構成フォームが、前記グラフィカル要素使用に関係した構成情報の収集と併せて実行されるべき１つ以上のルールを格納するアクション可能アイテムを含む、請求項１６に記載のユーザ表示構成システム。
【請求項１８】
前記１つ以上のルールが、グラフィカル要素使用を作成する際に前記構成フォームアプリケーションによる前記構成フォームの使用時にプロセッサによって実装されるように構成される、請求項１７に記載のユーザ表示構成システム。
【請求項１９】
前記１つ以上のルールが、前記構成フォームアプリケーションによって作成される前記グラフィカル要素使用の実行時にプロセッサによって実装される、請求項１７に記載のユーザ表示構成システム。
【請求項２０】
前記構成フォームが、前記ユーザが前記グラフィカル要素使用に関する構成情報を提供しているときに前記構成フォームアプリケーションによって前記ユーザに提供されるべきメッセージを含む、請求項１６〜請求項１９の何れか１項に記載のユーザ表示構成システム。
【請求項２１】
前記構成フォームが、グラフィカル要素使用に関するデフォルトの構成情報として用いられるべきグラフィック要素パラメータの特性に関するデフォルト値を含む、請求項１６〜請求項２０の何れか１項に記載のユーザ表示構成システム。
【請求項２２】
前記構成フォームが、前記テンプレートグラフィカル要素から作成されるグラフィカル要素使用がユーザ表示に用いられるときにユーザに表示されるべきボタンに関する変更可能な構成情報を含む、請求項１６〜請求項２１の何れか１項に記載のユーザ表示構成システム。
【請求項２３】
前記アクション可能アイテムのうちの１つに関する前記グラフィカル要素パラメータの指標が、ユーザ表示画面上に提示されるべきグラフィカル描画に関係しており、前記グラフィカル要素パラメータの特性が、前記グラフィカル描画の視覚特性に関係している、請求項１６〜請求項２２の何れか１項に記載のユーザ表示構成システム。
【請求項２４】
前記アクション可能アイテムのうちの１つに関する前記グラフィカル要素パラメータが、ユーザ表示画面上に提示されるべきグラフィカルコンテナに関係し、前記グラフィカル要素パラメータの特性が、前記グラフィカルコンテナを用いてユーザ表示を介して提供されるべきデータに関するデータ経路に関係する、請求項１６〜請求項２３の何れか１項に記載のユーザ表示構成システム。
【請求項２５】
ユーザインターフェースを介してユーザに情報を提示するのに用いられるユーザ表示要素を構成する方法であって、
コンピュータプロセッサを介して、それぞれが表示可能な印及び表示可能な印を用いてディスプレイ装置上に表示されるべきプロセス制御システムデータへの構成可能なリンクを含む１つ以上のテンプレートグラフィカル要素をユーザが作成できるようにすることと、
コンピュータプロセッサを介して、前記テンプレートグラフィカル要素のうちの１つに関連する構成フォームをユーザが作成できるようにすることであり、構成フォームに関する１つ以上のアクション可能アイテムをユーザが指定できるようにするユーザ表示インターフェースをユーザ表示装置上に提示することを含み、前記１つ以上のアクション可能アイテムが、前記テンプレートグラフィカル要素のうちの１つから作成される１つ以上のグラフィカル要素使用を構成するのに用いられるように適合され、各アクション可能アイテムに関して、前記ユーザが構成フォームを用いて構成されるべきテンプレートグラフィカル要素のグラフィカル要素パラメータ及びグラフィカル要素パラメータの特性の指標を提供し、構成フォームを介してグラフィカル要素パラメータの特性に関する構成情報を指定するための１つ以上の編集可能な構成セルに関連する構成情報を指定できるようにすることをさらに含む、前記テンプレートグラフィカル要素のうちの１つに関連する構成フォームをユーザが作成できるようにすることと、
コンピュータプロセッサを介して、グラフィカルテンプレート要素のうちの１つに関連するものとして前記構成フォームをユーザが格納できるようにすることと、  コンピュータプロセッサデバイスを介して、格納された前記テンプレートグラフィカル要素のうちの１つに関する構成フォームを用いて前記１つ以上のテンプレートグラフィカル要素からグラフィカル要素使用をユーザが作成し、これにより、ユーザ表示要素を作成できるようにすることと、
を含む、方法。